(57)【要約】【課題】バズベイトにおいて特にその動きに特色を持たせた釣用ルアーを提供する。【解決手段】屈曲形成されたワイヤ１１の一端側のアッパアーム１１Ａにプロペラ型可動ブレード１２を有し、他端側のロアアーム１１Ｂにはフック１５を有する。可動ブレード１２はフレキシブルなジョイント１８を介して、アッパアーム１１Ａの端部に連結する。可動ブレード１２は支持シャフト１９のまわりに回転自在に支持され、支持シャフト１９の先端にてアッパアーム１１Ａの端部との間でジョイント１８が構成される。【選択図】       図１
0003109963.tif 000002
【実用新案登録請求の範囲】
【請求項１】
屈曲形成されたワイヤの一端側のアッパアームにプロペラ型可動ブレードを有し、他端側のロアアームには偽装体が付帯するフックを有する釣用ルアーであって、
前記可動ブレードはフレキシブルなジョイントを介して、前記アッパアームの端部に連結することを特徴とする釣用ルアー。
【請求項２】
前記可動ブレードは支持シャフトのまわりに回転自在に支持され、前記支持シャフトの先端にて前記アッパアームの端部との間で前記ジョイントが構成されることを特徴とする請求項１に記載の釣用ルアー。
【請求項３】
前記ジョイントを介した前記可動ブレードの可動範囲が広狭設定可能であることを特徴とする請求項１または２に記載の釣用ルアー。
【請求項４】
前記可動ブレードの前または後に別のブレードが連設されることを特徴とする請求項１〜３のいずれか１項に記載の釣用ルアー。
【考案の詳細な説明】
【技術分野】
【０００１】
本考案は、所謂バズベイトと称するコンビネーションルアーとして用いられる釣用ルアーに関するものである。
【背景技術】
【０００２】
釣用ルアーのうち特に「バズベイト」と呼ばれるものは、バズブレードと称する回転体（プロペラ）が回転自在に挿着支持される構成となっている。このバズベイトルアーは基本的に、ラインを引く際にルアーが沈まないように使用する。このときバズブレードが水しぶきを上げながら回転することで、その振動（音）や光が釣果に結びつくようにするというものである。
【０００３】
図５は、従来のバズベイトルアーの構成例を示している。このバズベイトは、屈曲形成されたワイヤ１の一端側にバズブレード２を回転自在に支持すると共に、他端側にはスカート４を装着するためのヘッド部３が結合し、このヘッド部３にフック（釣針）５が連結される。なお、バズブレード２の前後にはビーズ６，６が介装される。ワイヤ１の適所にはライン（釣糸）７が接続され、ライン７を引くことでバズブレード２が水面付近で回転するようになっている。
【考案の開示】
【考案が解決しようとする課題】
【０００４】
しかしながら従来の釣用ルアーにおいて、バズブレード２はワイヤ１の一端側で回転自在に支持されるものの、その動きは回転運動だけである。一様かつ単純な動きのため、必ずしも高い釣果を期待することができなかった。
【０００５】
本考案はかかる実情に鑑み、この種のバズベイトにおいて特にその動きに特色を持たせた釣用ルアーを提供することを目的とする。
【課題を解決するための手段】
【０００６】
本考案の釣用ルアーは、屈曲形成されたワイヤの一端側のアッパアームにプロペラ型可動ブレードを有し、他端側のロアアームには偽装体が付帯するフックを有する釣用ルアーであって、前記可動ブレードはフレキシブルなジョイントを介して、前記アッパアームの端部に連結することを特徴とする。
【０００７】
本考案の釣用ルアーにおいて、前記可動ブレードは支持シャフトのまわりに回転自在に支持され、前記支持シャフトの先端にて前記アッパアームの端部との間で前記ジョイントが構成されることを特徴とする。
【０００８】
本考案の釣用ルアーにおいて、前記ジョイントを介した前記可動ブレードの可動範囲が広狭設定可能であることを特徴とする。
【０００９】
本考案の釣用ルアーにおいて、前記可動ブレードの前または後に別のブレードが連設されることを特徴とする。
【考案の効果】
【００１０】
本考案によれば、ラインを引いてルアーを遊泳させると、可動ブレードは水流抵抗を受けて回転する。支持シャフトの先端にてフレキシブルなジョイントを介してアッパアームと連結されるため、可動ブレードの動きの自由度が大幅に拡大する。このように可動ブレードを動き易くすることで、トリッキーな動きも可能になり、高い釣果を期待することができる。
【考案を実施するための最良の形態】
【００１１】
以下、図面に基づき、本考案による釣用ルアーの好適な実施の形態を説明する。
図１は、本考案の第１の実施形態による釣用ルアーの構成例を示している。この例ではのバズベイトルアーとし、バズベイト１０は、ステンレス鋼線等を屈曲形成してなるワイヤ１１の一端側に、アルミニウムもしくはその合金等で形成されたバズブレード１２を回転自在に支持すると共に、他端側には偽装体であるスカート１４を装着するためのヘッド部１３が結合する。ヘッド部１３にフック（釣針）１５が連結される。なお、バズブレード１２の前後にはビーズ１６，１６が介装される。ワイヤ１１の適所（アイ１１ａ）にはライン１７が接続され、ライン１７を引くことでバズブレード２が水面付近で回転するようになっている。
【００１２】
ワイヤ１１は、一端側のアッパアーム１１Ａと他端側のロアアーム１１Ｂを有し、アッパアーム１１Ａがロアアーム１１Ｂに対して適度に傾斜するように屈曲形成されている。プロペラ型のバズブレード１２はフレキシブルなジョイント１８を介して、アッパアーム１１Ａの端部に連結する。
【００１３】
バズブレード１２は、支持シャフト１９のまわりに回転自在に支持され、支持シャフト１９の先端にてアッパアーム１１Ａの端部との間でジョイント１８が構成される。たとえば図２（ａ）に示すようにアッパアーム１１Ａの端部および支持シャフト１９の先端をそれぞれ概略環状に成形して係合部１８ａおよび１８ｂを設け、両者が相互に連結される。このようにジョイント１８を構成することにより、支持シャフト１９すなわちバズブレード１２はアッパアーム１１Ａに対して、上下（矢印Ｕ，Ｄ）および左右（矢印Ｌ，Ｒ）方向に自在に可動になる。
【００１４】
上記構成において、ライン１７を引いてルアーを遊泳させると、バズブレード１２が水面付近で回転する。この場合、バズブレード１２はジョイント１８を介して、アッパアーム１１Ａにフレキシブルに連結されている。このようにバズブレード１２を可動自在に連結することにより、大きな動きや不規則な動きが出て、そのときに発生する気泡や音、振動、反射光あるいは水面の波紋により高い集魚効果が得られる。なお、バズブレード１２がロアアーム１１Ｂに接触することで、音や振動が発生する。
【００１５】
また、バズブレード１２の動きがアッパアーム１１Ａからロアアーム１１Ｂに、そしてヘッド部１３に伝わり、その結果ヘッド部１３およびスカート１４の動き方も大きくなる。これによっても高い集魚効果が得られる。また、イレギュラーでトリッキーな動きも可能になり、この点でも集魚効果につながる。
【００１６】
ここで、ジョイント１８を介したバズブレード１２の可動範囲は、広狭設定可能にすることができる。たとえば図２（ｂ）に示すように一方の係合部１８ｂを概略環状に複数回巻回し、他方の係合部１８ａを係合部１８ｂに挿通させる。このようにジョイント１８を構成することで、略ヒンジ結合に近い結合構造を持つ。これにより支持シャフト１９すなわちバズブレード１２はアッパアーム１１Ａに対して、上下方向（矢印Ｕ，Ｄ）に可動になる。
【００１７】
上記の場合、係合部１８ｂの回巻回数は適宜増減することができる。また、図２（ｂ）の場合の他、係合部１８ａ側を環状に複数回巻回してもよく、さらにジョイント１８全体を適宜回転させてもよく、すなわち左右方向あるいはそれらの中間の方向の動きにすることもできる。また、係合部１８ａに対する係合部１８ｂの可動範囲（角度）を、たとえば６０°等に制限することもできる。
【００１８】
つぎに、図３は本考案の第２の実施形態における要部構成を示している。この例ではアッパアーム１１Ａの端部手前で一旦屈曲し、その屈曲部分に別のバズブレード２０が支持される。なお、バズブレード２０の前後にはビーズ２１，２１が介装される。そして、アッパアーム１１Ａの端部には上記実施形態と同様に、フレキシブルなジョイント１８を介してバズブレード１２が連結される。
【００１９】
アッパアーム１１Ａに固定的（回転方向には可動）に支持されたバズブレード２０と、アッパアーム１１Ａの端部に可動自在なバズブレード１２とが連設されることで、さらに独特かつ特有の動きが出て、この場合にも高い集魚効果が得られる。
【００２０】
さらに、図４は本考案の第３の実施形態における要部構成を示している。この例では前述した第１の実施形態と同様に構成されたバズブレード１２に、ウィローリーフと呼ばれる形状のブレード２２が連結される。ブレード２２は、スプリットリング２４を介して回転自在なスイベル２３につながれ、さらにスプリットリング２４を介してアッパアーム１１Ａ側につながれる。
【００２１】
この例ではバズブレード１２とブレード２２を組み合せることで特有の動きを出し、同様に高い集魚効果が得られる。
【００２２】
なお、本考案は、上述した実施形態にのみ限定されるものではなく、必要に応じて適宜変更、設定可能であり、上記実施形態と同様な作用効果を得ることができる。
たとえば、ルアーに取り付ける部品およびその数量、その配列の仕方、可動部の配設位置、さらに形状あるいは素材等につき、種々の組合せバリエーションが可能であり、図示例の場合にのみ限定されない。
【図面の簡単な説明】
【００２３】
【図１】本考案の第１の実施形態における釣用ルアーの構成例を示す図である。
【図２】本考案に係るジョイントの構成例をそれぞれ示す図である。
【図３】本考案の第２の実施形態における釣用ルアーの要部構成を示す図である。
【図４】本考案の第３の実施形態における釣用ルアーの要部構成を示す図である。
【図５】従来ルアーの構成例を示す図である。
【符号の説明】
【００２４】
１０  バズベイト
１１  ワイヤ
１２  バズブレード
１３  ヘッド部
１４  スカート
１５  フック（釣針）
１６  ビーズ
１７  ライン
１８  ジョイント
【図１】
0003109963.tif 000003
【図２】
0003109963.tif 000004
【図３】
0003109963.tif 000005
【図４】
0003109963.tif 000006
【図５】
0003109963.tif 000007